(57)【要約】【課題】漁網において、とくに漁網同士の結合、離脱を容易にし、漁労経験の浅い人材であっても短時間で漁網の補修や改造作業が可能な漁網を提供する。【解決手段】網地の周縁に、網地連結用の任意の間隔にて眼鏡形状に形成されたロープ材からなる網地連結用の連結部材の長手方向一端部を網地と結合し、他端部を開放してなる複数の漁網を、前記開放された他端部のロープ材同士を紐材により結合して漁網を構成した。紐材によって連結することで、漁網の補修や改造作業を簡単に行なうことができる。【選択図】        図１
2008022786.tif 000002
【特許請求の範囲】
【請求項１】
漁網であって、網地の周縁に任意の間隔にて眼鏡形状に形成されたロープ材からなる網地連結用の連結部材を設けたことを特徴とする漁網。
【請求項２】
網地の周縁に、網地連結用の任意の間隔にて眼鏡形状に形成されたロープ材からなる網地連結用の連結部材の長手方向一端部を網地と結合し、他端部を開放してなる複数の漁網を、前記開放されたロープ材の他端部同士を紐材により結合して構成したことを特徴とする漁網。
【発明の詳細な説明】
【技術分野】
【０００１】
本発明は、漁網に関し、とくに漁網同士の結合、離脱を容易にし、漁労経験の浅い人材であっても短時間で漁網の補修や改造作業が可能な漁網に関するものである。
【背景技術】
【０００２】
従来の漁網において、とくにまき網漁法に使用される漁網は、例えば全長約１０００メートル、深さ約３００メートル以上等の各種のものが使用されており、操業中に何らかのトラブルにより漁網が破網し、網を海中に落としたり、集漁した魚を失うという危険性があり、漁船のオーナーにとって経済的に大きな負担となっていた。しかも破網した漁網を補修するためには、一端帰港し手作業にて破網した漁網の破網の位置を確認しながらつなぎ合わせる作業を必要とし、多大の時間と経費がかかった。
【０００３】
そこで、所定長さのループ状目通し糸をその長手方向に多数所定間隔で装着垂下させたロープを網地周縁の縁網の複数の網目に挿通すると共に、そのループ状目通し糸によって他の漁網との着脱を容易ならしめた漁網が提案されている（特許文献１参照。）。また、第１のロープに沈子を所定間隔で取り付け、第２のロープに網本体の下端を掛け、第１のロープと第２のロープとをＣリングによって取り付ける漁網も提案されている（特許文献２参照。）。
【特許文献１】実開昭６１−１２８９６８号公報
【特許文献２】実開平６−６０号公報
【発明の開示】
【発明が解決しようとする課題】
【０００４】
しかしながら、上記特許文献１に提案されている漁網は、ループ状目通し糸を多数所定間隔で装着垂下させたロープを網地周縁の複数の網目に挿通させて、ループ状の目通し糸同士で連結させるものであり、ロープの一端部から他端部に向けて順にループ状の目通し糸を連結させる必要があり、複数の作業者が同時に作業を行なうことができないという欠点があり、また途中で切断した場合には瞬時に破網する虞があった。そして、上記特許文献２に記載されている漁網は、網本体が掛けられたロープと他のロープとをＣリング等で連結させるものであり、主に刺し網など網を垂下した状態で仕掛ける漁法には適するが、まき網漁法のように網同士を連結して使用するものには適さないものであった。
【０００５】
本発明は、上記の問題点に鑑みなされたもので、漁網の周縁に網地連結用の連結部材を予め設けておくことで、漁網の修理、改造、解体が容易となり、仮に破網しても簡単に修理をすることができ、また破網が網地連結部材の位置で止まるため漁網が流失することがなく、集魚した魚を取り逃がすことの無い漁網を提供することを目的とする。
【課題を解決するための手段】
【０００６】
このため本発明の漁網は、網地の周縁に任意の間隔にて眼鏡形状に形成されたロープ材からなる網地連結用の連結部材を設けたことを第一の特徴とする。
【０００７】
また、網地の周縁に任意の間隔にて眼鏡形状に形成されたロープ材からなる網地連結用の連結部材の長手方向一端部を網地と結合し、他端部を開放してなる複数の漁網を、前記開放されたロープ材の他端部同士を紐材により結合して構成したことを第二の特徴とする。
【発明の効果】
【０００８】
本発明による漁網によれば、網地の周縁に任意の間隔にて眼鏡形状に形成されたロープ材からなる網地連結用の連結部材を設けた漁網を紐材によって複数連結して構成することができるため、漁労経験の浅い人材であっても漁場の状況に応じて漁網の大きさの変更や解体の作業が容易であるという優れた効果を有する。
【０００９】
また何らかの原因で漁網が破網しても、ロープ材からなる連結部材の位置で破網の連鎖を阻止できるため、海中に漁網を流失することがなく、同時に集魚した魚を取り逃がすことがないという優れた効果を有する。
【００１０】
しかも、網地連結用の連結部材を設けた漁網を基本ブロックとして予め用意すれば、多種の漁網を保管する必要がなく経済的であり、仮に破網しても基本ブロックとして再利用が可能となるという優れた効果を有する。
【発明を実施するための最良の形態】
【００１１】
以下、本発明の漁網を実施例に基づいて説明するが、本発明が本実施例に限定されないことは言うまでもない。図１は本発明の漁網に連結部材を取り付けた状態を説明する正面図、図２は図１の漁網同士を平行に対向させた状態を示す正面図、図３は図２の漁網を連結させる状態を示す正面図、図４は複数の漁網を連結した状態を示す正面図である。尚、本実施例の漁網は、主にまき網漁法に使用される漁網で説明する。
【実施例】
【００１２】
図１、図２に示すように、本発明に係る漁網１は、合成樹脂製の無結節網地２と、網地２の周縁部に設けられ２本のロープ材３ａ、３ｂからなる網地連結用の連結部材４とから構成され、連結部材４のロープ材３ａは網地２に網糸５よって連結され、ロープ材３ｂは後述する漁網連結の際に紐材によって他のロープ材と連結する。尚、連結部材４は合成樹脂製で、任意の間隔で編み込み或いは融着によって結節部が設けられ眼鏡形状とされ、網地２とは異なる色（例えば青色）とされている。
【００１３】
網地２は、合成樹脂からなり、漁網の使用される位置によって比重の異なる材料が選択されて使用される。また、後述する連結時に最適な長さと幅で切断され、その切断部は予め糸材によって解け防止がなされる。
【００１４】
連結部材４は、網地２と比較し太めのロープ材３ａ、３ｂが使用され、所定の寸法（網地より粗い）で結節部３ｃが形成されている。そして、ロープ材３ａは網地２の周縁部と網糸によって連結される。
【００１５】
図３、図４は連結部材４が取り付けられた網地２同士を連結させた状態を示しており、各々の連結部材４のロープ材３ｃを平行に並べた状態で、紐材６によって適宜間隔で網上げ、網地２を繋ぎ合わせ、漁網１が完成する。ここで、紐材６は網地２や連結部材４とは異なる色（例えば黒色）が望ましく、後述する修理・解体作業時に有効とされる。
【００１６】
上記の構成による漁網１は、予め所定の寸法にて切断された網地２の周縁部に設けられ連結部材４と紐材６によって、容易に連結作業が可能であり、船上であっても、また漁労経験の浅い作業者であっても簡単に作業ができる。しかも、漁網１の解体や部分補修作業時においても、紐材６を切断或いは解くことによって交換作業を行なうことができる。そのため船に連結部材４を設けた網地２を複数搭載しておくことによって、漁網の大きさの変更などが容易にできるため、予め複数の漁網１を搭載する必要が無い。そして、操業中に何らかの原因により漁網１が破網しても、網地２の破網の連鎖が連結部材４の位置で阻止され、高価な漁網１を損失することがなく、しかも集魚した魚を失うことも無い。
【００１７】
以上本発明による漁網によれば、漁網の周縁に網地連結用の連結部材を予め設けておくことで、漁網の修理、改造、解体が容易となり、仮に破網しても簡単に修理ができ、また破網が網地連結部材の位置で止まるため漁網が流失することがなく、集魚した魚を取り逃がすことが無い。
【図面の簡単な説明】
【００１８】
【図１】本発明の漁網に使用される連結部材を説明する正面図である。
【図２】図１の連結部材を漁網に取り付けた状態を示す正面図である。
【図３】図２の漁網を連結した状態を示す正面図である。
【図４】複数の漁網を連結した状態を示す正面図である。
【符号の説明】
【００１９】
１            漁網
２            網地
３ａ、３ｂ    ロープ材
３ｃ          結節部
４            連結部材
５            網糸
６            紐材
【図１】
2008022786.tif 000003
【図２】
2008022786.tif 000004
【図３】
2008022786.tif 000005
【図４】
2008022786.tif 000006